(57)【要約】【課題】  ポンプを使用しない小型で安価な手消毒装置を提供するものである。【解決手段】  空気噴射ノズル１６と消毒液噴射ノズル１８とを隣接して備える。ブロア１４による空気を空気噴射ノズル１６から挿入空間３０に噴射する。消毒液タンク２０と消毒液噴射ノズル１８とを連絡する消毒液供給用パイプ２４の途中を電磁弁２６で開閉する。挿入空間３０に手を入れることによって、ブロア１４が作動して空気噴射ノズル１６から挿入空間３０に空気を噴射させ、電磁弁２６で消毒液供給用パイプ２４を開く。空気噴射ノズル１６に発生する負圧が消毒液タンク２０の消毒液２２を消毒液噴射ノズル１８に吸い出し、その消毒液噴射ノズル１８から挿入空間３０に消毒液を噴射する。【選択図】  図１
2005052352.tif 000002
【特許請求の範囲】
【請求項１】
ハウジングと、そのハウジングによって形成されるものであって手を挿入するための挿入空間と、前記挿入空間に噴射口を向けて配置される空気噴射ノズルと、前記挿入空間に噴射口を向けて配置されるものであってその噴射口が前記空気噴射ノズルの噴射口と隣接して配置される消毒液噴射ノズルと、消毒液を貯蔵する消毒液貯蔵手段と、一端を前記消毒液貯蔵手段に貯蔵される消毒液の水面下に開口し他端を前記消毒液噴射ノズルに連絡する消毒液供給用パイプと、前記消毒液供給用パイプを開閉する通路開閉手段と、前記空気噴射ノズルに空気を供給する空気供給手段と、前記挿入空間に挿入した手を検知する検知手段と、前記検知手段の検知に応じて前記空気供給手段と前記通路開閉手段とを制御する制御手段とを有することを特徴とする手消毒装置。
【請求項２】
前記消毒液噴射ノズルの噴射口の周囲に前記空気噴射ノズルの噴射口を環状に配置したことを特徴とする請求項１記載の手消毒装置。
【請求項３】
前記空気噴射ノズルに空気が螺旋状に回転するためのフィンを備えたことを特徴とする請求項１記載の手消毒装置。
【請求項４】
前記検知手段が前記挿入空間に手を挿入した状態を検知した場合に、前記制御手段が前記空気供給手段を作動させると共に前記通路開閉手段を作動させて消毒液供給用パイプを開き、その後の所定の時間経過後に前記制御手段が前記通路開閉手段を作動させて消毒液供給用パイプを閉じ、前記検知手段が前記挿入空間から手を引抜いた状態を検知した場合に、前記制御手段が前記空気供給手段の作動を停止させるようにしたことを特徴とする請求項１又は請求項２記載の手消毒装置。
【発明の詳細な説明】
【技術分野】
【０００１】
この発明は、手を消毒するための手消毒装置に関する。
【背景技術】
【０００２】
病院や食品工場等では、食品衛生法により作業前や作業中に手の消毒を行うことが義務付けられている。従来、病院や食品工場等では、作業前や作業中に関係者が手を消毒する装置として、消毒液を噴射する噴射ノズルを備える手消毒装置が設置されていた。多数の人が同じタオルを使用して消毒液で濡れた手を拭くと、タオルで再度手が汚染されるおそれがあることから、温風で手を乾燥する乾燥装置（いわゆるエアタオル）が手消毒装置とともに併設されていた。しかし、手消毒装置と乾燥装置の２台の装置を併設すると２台の装置分のスペースが必要となることから、手の消毒と乾燥が１台の装置でできるようにした乾燥装置を内蔵する手消毒装置が提供されていた。
【０００３】
従来の乾燥装置を内蔵する手消毒装置の構造を図４に示す。
手消毒装置５０は、ハウジング５２と、ハウジング５２の上部に配置される噴射ノズル５４と、ハウジング５２の下部に配置される消毒液タンク５６と、一端を噴射ノズル５４と連絡すると共に消毒液６０を貯蔵する消毒液タンク５６に他端を連絡する消毒液供給用パイプ５８と、その消毒液供給用パイプ５８の途中に備えられるポンプ６２と、温風吹出口６４を有する乾燥装置６６と、ポンプ６２と乾燥装置６６とを制御する制御手段６８とを備えるものである。ハウジング５２の中央部には消毒する手を挿入する挿入空間７０が形成されており、噴射ノズル５４の噴射口７２は挿入空間７０に挿入される手に向けて開口されている。挿入される手は、ハウジング５２の上部に配置される赤外線センサー７４によって検知される。ハウジング５２の下部には、挿入空間７０に噴射される消毒液を収容するためのドレインタンク７６が配置されている。
【０００４】
挿入空間７０に手が挿入された場合に赤外線センサー７４が手を検知して、手制御手段６８がポンプ６２を作動し、消毒液タンク５６に貯蔵される消毒液６０が消毒液供給用パイプ５８を介して噴射ノズル５４に導入され、噴射ノズル５４の噴射口７２から手に向けて消毒液６０が噴射される。一定量の消毒液６０が噴射された後、制御手段６８はポンプ６２の運転を停止し、続いて乾燥装置６６を作動させる。乾燥装置６６の作動により、温風吹出口６４から温風が吹き出し、消毒液６０で濡れた手を乾燥させる（例えば、特許文献１参照）。
【特許文献１】特開２０００−６０７６４号公報（第２頁、図４）
【発明の開示】
【発明が解決しようとする課題】
【０００５】
しかし、従来の手消毒装置５０は、消毒液６０を噴射する噴射ノズル５４と手を乾燥する温風吹出口６４の位置とを異なる位置に配置するため、装置全体が大型となっていた。また、従来の手消毒装置５０は、消毒液タンク５６から消毒液６０を吸い出すためにポンプ６２を用いているため、コストがかかるものであった。
【０００６】
本発明は上記の点に鑑みてなされたもので、ポンプを使用しない小型で安価な手消毒装置を提供することを目的とするものである。
【課題を解決するための手段】
【０００７】
本発明の手消毒装置は上記目的を達成するために、ハウジングと、そのハウジングによって形成されるものであって手を挿入するための挿入空間と、前記挿入空間に噴射口を向けて配置される空気噴射ノズルと、前記挿入空間に噴射口を向けて配置されるものであってその噴射口が前記空気噴射ノズルの噴射口と隣接して配置される消毒液噴射ノズルと、消毒液を貯蔵する消毒液貯蔵手段と、一端を前記消毒液貯蔵手段に貯蔵される消毒液の水面下に開口し他端を前記消毒液噴射ノズルに連絡する消毒液供給用パイプと、前記消毒液供給用パイプを開閉する通路開閉手段と、前記空気噴射ノズルに空気を供給する空気供給手段と、前記挿入空間に挿入した手を検知する検知手段と、前記検知手段の検知に応じて前記空気供給手段と前記通路開閉手段とを制御する制御手段とを有するものである。
【０００８】
本発明の手消毒装置はまた、前記消毒液噴射ノズルの噴射口の周囲に前記空気噴射ノズルの噴射口を環状に配置したものである。本発明の手消毒装置は更に、前記空気噴射ノズルに空気が螺旋状に回転するためのフィンを備えるようにしたものである。本発明の手消毒装置は、前記検知手段が前記挿入空間に手を挿入した状態を検知した場合に、前記制御手段が前記空気供給手段を作動させると共に前記通路開閉手段を作動させて消毒液供給用パイプを開き、その後の所定の時間経過後に前記制御手段が前記通路開閉手段を作動させて消毒液供給用パイプを閉じ、前記検知手段が前記挿入空間から手を引抜いた状態を検知した場合に、前記制御手段が前記空気供給手段の作動を停止させるようにしたものである。
【発明の効果】
【０００９】
空気噴射ノズルの噴射口と消毒液噴射ノズルの噴射口とを隣接させることで、空気噴射ノズルから噴射される空気がその噴射口を通過するときの負圧を消毒液噴射ノズルの噴射口に及ぼし、消毒液噴射ノズルから消毒液を吸い出すことができる。空気負圧によって消毒液噴射ノズルから消毒液を噴射することができるので、従来必要としたポンプを省略してコストダウンを図ることができる。ポンプを省略したことで従来のポンプの点検が不要となる。
【００１０】
本発明では、手の消毒を行う消毒液噴射ノズルと手の乾燥を行う空気噴射ノズルとを隣接して配置したことにより、それらのノズルとブロアとを１箇所にまとめることができる。これによって、従来のような消毒液噴射ノズルと空気噴射ノズルとを異なる位置に配置したものと比べて、手消毒装置を小型な装置とすることができる。
【００１１】
更に、消毒液噴射ノズルと手の乾燥を行う空気噴射ノズルとを隣接して配置したことにより、消毒液噴射ノズルから噴射させる消毒液は、空気噴射ノズルから噴射される空気によって霧化されて、従来の手消毒装置で噴射される消毒液と比べて微細な粒子となる。この微細な粒子の消毒液は、手の細部まで行き渡り高い消毒効果が得られる。また、微細な粒子であるために、消毒液の乾燥を早めることができる。
【発明を実施するための最良の形態】
【００１２】
本発明の手消毒装置を図に基づいて説明する。図１は、本発明の手消毒装置の構造を示す図である。
本発明の手消毒装置１０は、ハウジング１２と、ハウジング１２の上部に配置される空気供給手段としてのブロア（送風機）１４と、ブロア１４から供給される空気を噴射する空気噴射ノズル１６と、空気噴射ノズル１６に隣接して配置される消毒液噴射ノズル１８と、ハウジング１２の下部に配置される消毒液貯蔵手段としての消毒液タンク２０と、一端が消毒液タンク２０に貯蔵される消毒液２２の水面下に配置され他端が空気噴射ノズル１６に連絡される消毒液供給用パイプ２４と、消毒液供給用パイプ２４の途中を開閉する通路開閉手段としての電磁弁２６と、ブロア１４と電磁弁２６とを制御する制御手段２８とを備えるものである。ハウジング１２の中央部には、消毒する手を挿入するための挿入空間３０が形成されている。その挿入空間３０の上位に、空気供給用ハウジング３６が、図示しない固定部材によってハウジング１２に固定されている。この空気供給用ハウジング３６の内部に、ブロア１４と空気噴射ノズル１６と消毒液噴射ノズル１８とが取付けられている。ハウジング１２の下部には、空気噴射ノズル１６から挿入空間３０に噴射される消毒液を収容するためのドレインタンク３４が備えられている。
【００１３】
ブロア１４は、制御手段２８によって作動又は停止される。ハウジング１２には、挿入空間３０に挿入される手を検知する検知手段としての赤外線センサー３２が備えられている。挿入空間３０に手を入れた場合に、赤外線センサー３２が手を検知し、それによって制御手段２８はブロア１４を作動させると共に、消毒液供給用パイプ２４を開くように電磁弁２６を作動させる。挿入空間３０から手が引き抜かれた場合に、赤外線センサー３２が検知して制御手段２８はブロア１４の作動を停止する。制御手段２８は、電磁弁２６を作動させて消毒液供給用パイプ２４を一定時間開いた後は、電磁弁２６を作動させて消毒液供給用パイプ２４を閉じるようにする。
【００１４】
次に、本発明の手消毒装置に用いられる噴射ノズルを図２及び図３に基づいて説明する。図２は本発明に用いる噴射ノズルの構造を示す図であり、図３は図２の噴射ノズルの噴射口を表わす図である。空気供給用ハウジング３６に取付けられる空気噴射ノズル１６の噴射口と消毒液噴射ノズル１８の噴射口は、空気供給用ハウジング３６の外部に向けて（前記挿入空間３０に向けて）開口している。この空気噴射ノズル１６の噴射口は、消毒液噴射ノズル１８の噴射口の周囲に環状に配置されるのが望ましい。また、環状の空気噴射ノズル１６には、空気を螺旋状に回転させるためのフィン３８を設けるのが望ましい。
【００１５】
挿入空間３０に手を入れた場合に、ブロア１４が作動して、空気供給用ハウジング３６内に空気４０を吸い込み、その空気４０を噴射ノズル１６を経由して挿入空間３０に噴射する。この空気噴射ノズル１６から噴射される空気４０の流速は速くなり、空気噴射ノズル１６の噴射口に大きな負圧が発生する。この空気噴射ノズル１６の噴射口は消毒液噴射ノズル１８の噴射口の周囲に環状に配置されているので、消毒液噴射ノズル１８の噴射口に大きな負圧が及ぶ。
【００１６】
挿入空間３０に手を入れた場合に、制御手段２８は電磁弁２６を作動させて消毒液供給用パイプ２４を開くので、消毒液噴射ノズル１８の噴射口に及ぶ大きな負圧は、消毒液供給用パイプ２４を通じて図１に示す消毒液タンク２０まで及ぶ。この負圧によって、消毒液タンク２０に貯蔵される消毒液２２は、消毒液供給用パイプ２４から消毒液噴射ノズル１８を経て、挿入空間３０に向けて噴射される。空気噴射ノズル１６のフィン３８によって、空気噴射ノズル１６から噴射される空気４０は挿入空間３０に螺旋状に広がるように噴射される。空気噴射ノズル１６から噴射される空気４０に消毒液２２が混合されて、消毒液２２は手の広い領域に噴射される。
【００１７】
電磁弁２６で消毒液供給用パイプ２４を開いた後の所定の時間経過後に、制御手段２８が電磁弁２６を作動させて消毒液供給用パイプ２４を閉じ、消毒液噴射ノズル１８への消毒液２２の流出を遮断する。消毒液供給用パイプ２４を閉じた後は、挿入空間３０に挿入されている手には、空気噴射ノズル１６からの空気４０のみが噴射される。即ち、消毒液２２が流出している間では手の消毒が行われている状態であり、消毒液２２の流出が遮断された後は、手に付いた消毒液を乾燥している（吹き落としている）状態となっている。手が乾燥したと感じた時に挿入空間３０から手を引き出すことにより、検知手段３２が検知してブロア１４が停止される。
【００１８】
以上のように本発明は、消毒液噴射ノズル１８からの消毒液２２の噴射は、従来のようなポンプを使用するのではなく、空気噴射ノズル１６からの空気の噴射によって発生する負圧を利用するものである。本発明は、従来装置で使用していたポンプを省略するが、消毒液供給用パイプ２４を開閉する電磁弁２６を新たに使用する。本発明では、電磁弁２６のコストはポンプのコストより大幅に安価なため、手消毒装置全体のコストを低減することができる。また、ポンプを使用しないため、従来必要としたポンプの点検費用も不要となる。
【００１９】
本発明では更に、手の消毒を行う消毒液噴射ノズル１８と、手の乾燥を行う空気噴射ノズル１６とを同位置に配置したことにより、消毒液噴射ノズル１８と空気噴射ノズル１６とブロア１４とを空気供給用ハウジング３６にまとめて配置することができる。このように消毒液噴射ノズル１８と空気噴射ノズル１６とを同位置に配置することによって、従来のような消毒液噴射ノズルと空気噴射ノズルとを異なる位置に配置したものと比べて、手消毒装置を小型なものとすることができる。
【００２０】
本発明に用いられる噴射ノズルは、空気噴射ノズル１６の噴射口と消毒液噴射ノズル１８の噴射口とを隣接するいわゆる二流体ノズルである。二流体ノズルは「霧吹きの原理」を利用するノズルであって、消毒液噴射ノズル１８から噴出される消毒液２２は、空気噴射ノズル１６から噴射する空気４０によって微細な粒子に霧化する効果を有する。これに対して、従来の手消毒装置で使用される噴射ノズルは、消毒液のみを噴射する一流体ノズルであり、本発明の二流体ノズルと比べて、消毒液の粒子が粗い。この結果、本発明の手消毒装置では、手に噴射される消毒液は従来のものと比べて粒子がより微細となっており、手の細部まで消毒液が行き渡り、消毒効果をより高めることができる。更に、空気で消毒液を乾燥させる場合に、微細な粒子の場合に乾燥時間をより短くすることができる。
【００２１】
なお、本発明において、「消毒液」という表現は、洗浄液を含むものとする。本発明ではまた、消毒液２２に引火性のない消毒液、例えば塩素系・ヨウ素系の消毒液等を使用するのが望ましい。本発明においては消毒液をより微細な粒子にするため、アルコール系の消毒液を使用した場合、消毒液がブロア１４のモーター４６の熱により引火するおそれをなくすためである。
【図面の簡単な説明】
【００２２】
【図１】本発明の手消毒装置を示す構成図である。
【図２】図２は本発明に用いる噴射ノズルの構造を示す図である。
【図３】図３は図２の噴射ノズルの噴射口を表わす図である。
【図４】従来の手消毒装置を示す構成図である。
【符号の説明】
【００２３】
１０    手消毒装置
１２    ハウジング
１４    ブロア
１６    空気噴射ノズル
１８    消毒液噴射ノズル
２０    消毒液タンク
２２    消毒液
２４    消毒液供給用パイプ
２６    電磁弁
２８    制御手段
３２    赤外線センサー
３８    フィン
４０    空気
【図１】
2005052352.tif 000003
【図２】
2005052352.tif 000004
【図３】
2005052352.tif 000005
【図４】
2005052352.tif 000006